(57)【要約】      （修正有）【課題】マイヤー編機を用いて、毛布として用いるのではないところの軽量で肌触りが良い変則編みマイヤー生地を編成する方法と、この方法によって得る変則編みマイヤー生地を提供すること。【解決手段】マイヤー編機により編成したマイヤー生地であって、各１本の緯糸Ｌ１、経糸Ｌ２及びパイル糸Ｌ３を用い、その経糸Ｌ２及びパイル糸Ｌ３を一体的にループにし、これに緯糸Ｌ１を潜らせるようにして、一側の針床だけで編成した地編組織から構成してある。【選択図】図２
0003134363.tif 000002
【実用新案登録請求の範囲】
【請求項１】
マイヤー編機により編成したマイヤー生地であって、
各１本の緯糸Ｌ１、経糸Ｌ２及びパイル糸３を用い、その経糸Ｌ２及びパイル糸３を一体的にループにし、これに緯糸Ｌ１を潜らせるようにして、一側の針床だけで編成した地編組織から構成してあることを特徴とする変則編みマイヤー生マイヤー編機により編成するマイヤー生地の編成方法であって、
【請求項２】
請求項１の変則編みマイヤー生地の一側面に不織布が接着され、少なくとも対抗する周辺にヘム１６が逢着されている変則編みマイヤー生地。
【請求項３】
請求項１の変則編みマイヤー生地の周辺がマチ縫いされている変則編みマイヤー生地。
【考案の詳細な説明】
【技術分野】
【０００１】  本考案は、マイヤー編機により編成する変則編みマイヤー生地に関する。
【背景技術】
【０００２】  マイヤー編機は、専らマイヤー毛布を編成する為に用いられるもので、古くから知られているカールマイヤー編機（商標名）というダブルラッセル編機であって、図４に示すニードル、筬によって、前後二枚の地編組織を構成しながら、パイル糸を両地編組織間に掛けわたして編みつけ、編成後に、両地編組織を、そのパイル糸の中間でセンターカットして二枚に分離し、その後、パイル糸面を起毛或いは裁き処理して毛羽を備えるようにし、また、必要に応じて地編組織側も起毛処理等（短い毛羽）することによって、両面に長短毛羽のある毛布を製造するものである。【０００３】  図４において、１０は、それぞれ両側に配置された針床、そのサイドにニードル１２、１２が配置されており、各ニードルは、ここでは、６本の筬１３に供給された糸を係止し、編成に用いられる。前記筬１３には、緯糸Ｌ１、Ｌ６、経糸Ｌ２、Ｌ５及びパイル糸Ｌ３、Ｌ４が供給され、それぞれ、両側の地編組織１４，１５を編成すると共にパイル糸Ｌ３、Ｌ４が両地編組織に掛け渡され、編成後にそのパイル糸Ｌ３、Ｌ４が、カッター８により、センターカットで切断されて、２枚の地編組織が得られる。
尚、毛布としては、上記センターカットの後に、上記二枚の地編組織側を背中あわせで重ねて１枚ものとし、パイル糸面を両面に位置させて両面に毛羽を立たせる場合と、上述の如く、二枚をそれぞれ表面加工処理して１枚物の毛布として完成させる場合とがある。【０００４】  このようなマイヤー毛布は、保温性に優れているが、厚みがあるもので、冬季用として好ましいが、春秋にも用い得るところの軽く、通気性に優れた毛布が望まれ、こうした要求に応えるマイヤー毛布が提案されている。
【特許文献１】特開１０−１２７４５８。
【特許文献２】特開２００６−２９９４９２。
【考案の開示】
【考案が解決しようとする課題】
【０００５】  上記のように、マイヤー編機で得られた生地をセンターカットし、現れたパイル糸を起毛処理することによって毛羽を得ることが毛布を製造するのに必須の要件であるが、得られた毛布は、厚みがあると共に大きな保温性を発揮するもので、基本的には冬季に用いるものであって、これを、通気性を高め、保温性を僅かに低下させて春秋にも用い得るようにするための提案がなされてきたが（特許文献１及び特許文献２）、こうした改良は、パイル糸を起毛して毛羽とする点において、従来と変わるところがなく、あくまでも毛布として製造する域を出るものではなかった。
従って、従前においては、ダブルラッセル編機（マイヤー編機）を用いるが、更に保温性を殺し、夏に用い得るところの生地を編成するという考えはなかったものである。【０００６】  本考案は、マイヤー編機を用い、毛布として用いるものではないところの軽量で肌触りが良い変則編みマイヤー生地を提供することを目的とする。
【課題を解決するための手段】
【０００７】  本考案にかかる変則編みマイヤー生地は、上記課題を解決するために、請求項１に記載の通り、マイヤー編機により編成したマイヤー生地であって、
各１本の緯糸Ｌ１、経糸Ｌ２及びパイル糸３を用い、その経糸Ｌ２及びパイル糸３を一体的にループにし、これに緯糸Ｌ１を潜らせるようにして、一側の針床だけで編成した地編組織から構成してあることを特徴とする。
本考案において用いる緯糸Ｌ、経糸Ｌ２及びパイル糸３としては、ポリエステル。アクリル等の化繊、ウール、綿糸等の天然繊維から適宜選択して用いることができる。【０００８】  本考案にかかる変則編みマイヤー生地としては、前記変則編みマイヤー生地の一側面に不織布が接着され、少なくとも対抗する周辺にヘム１６が逢着されているのが好ましい。
また、変則編みマイヤー生地の周辺がマチ縫いされるようにしても良い。
【考案の効果】
【０００９】  本考案にかかる変則編みマイヤー生地は、パイル糸による両側の地編組織に対する掛け渡しがなく、センターカットによるパイル糸の飛び出しがない肌触りの良い薄地の生地であり、例えば、夏季に布団シート等として持ち得る利点があると共にマイヤー編機による編成で、針床の一側だけで地編組織を編成するものであるので、編成スピードが速く、また、センターカットの工程、起毛工程等を必要としないので、コストがかからず、生産性が良好であるという利点もある。【００１０】  そして、かかる方法によって編成された変則編みマイヤー生地は、薄地であるので、通気性が良く、起毛処理（毛羽）がなされていない状態で用いるので、夏季に布団シートに用いたりすることで、冷たい触感が得られて肌触りが良いという利点がる。
【考案を実施するための最良の形態】
【００１１】  本考案の実施の形態を、図面を参照して以下詳述する。
図１は、本考案に用いられるマイヤー編機の筬、ニードルの部分を示す。このマイヤー編機自体は、公知の基本構成を備えたものであり、従って、本考案に直接に関係しない全体の構成については具体的な説明を省略する。【００１２】  両側に配置された針床１の一方の針床１の側面に配列するニードル２に対し、筬３・・より、一側面の地編組織４を構成するためのポリエステルの緯糸Ｌ１、経糸Ｌ２、と、綿糸のパイル糸Ｌ３が供給され、これらの緯糸Ｌ１、経糸Ｌ２、パイル糸Ｌ３によって一側の地編組織４が編成される。これらの緯糸Ｌ１、経糸Ｌ２、パイル糸Ｌ３による地編組織の編成は、パイル糸Ｌ３を地編組織に編み、他方の地編組織に掛け渡して編みこむという工程がない点で従来とを異なるが、地編組織の編成自体は従来技術と同じであり、ここでの詳細説明は省略する。
図中、５は、センターカット用のカッターを示すが、ここではその使用はない。【００１３】  次に、要部の編成の工程について説明すると、図１及び図２にあるように、パイル糸Ｌ３が供給されている夫々の筬３が、所定の位置で作動し、対抗位置にあるニードル２によって編成が行われることになる。
即ち、図２の通り、経糸Ｌ２とパイル糸Ｌ３とがループを形成し、緯糸Ｌ１がそこを潜るようして編み込まれて一側の地編組織４が編成されて、生地７が完成されるのである。
この編成は、一方の針床１の側において行われるもので、マイヤー編機による２枚の地編組織を編成する従来の編成方法とは異なる。従って、パイル糸Ｌ３が２枚の地編組織に掛け渡されるという編成工程、センターカットによる分断工程はない。【００１４】  このようにして編成される変則編み生地７は、マイヤー編機から編み出される。しかる後に、図３に示すように、この生地を、不織布６に、接着剤を用いて貼着する。この際、この生地７の短辺側の２辺に、ヘム１６が逢着される。
この不織布６としては、化繊、天然繊維等、種々の素材ものを用いてよく、接着方法についても、接着剤を用いずに、ミシン縫いであってもよい。
また、別の態様として、前記不織布６を用いずに、この変則編みマイヤー生地の周辺をマチ縫いするだけで、シーツとして用いるようにしてもよい。この際、使い勝手を良くするために、前記生地の少なくとも一辺にヘム１６を逢着するようにしてもよい。
【産業上の利用可能性】
【００１５】  本考案の変則マイヤー毛布は、従前のマイヤー編機を用いることができるので、これを設置した工場において実施可能であり、その実施が容易である。また、変則マイヤー生地は、起毛、毛羽処理がなく、薄地で通気性が良くいので、毛布ではなく、シーツなどとして季節性を問わずに使用でき、その応用範囲は広いものである。
【図面の簡単な説明】
【００１６】
【図１】本考案にかかる変則マイヤー生地を編成するマイヤー編機の要部の拡大縦断面図である。
【図２】本考案にかかる変則マイヤー生地を編成するマイヤー編機により編成された生地の編み目を示す拡大図である。
【図３】本考案にかかる変則マイヤー生地を編成するマイヤー編機により編成された生地と不織布の一部切り欠き斜視図である。
【図４】従来技術にかかるマイヤー生地を編成するマイヤー編機の要部の拡大縦断面図である。
【符号の説明】
【００１７】１：針床
２：ニードル
３：筬
４：地編組織
５：カッター
６：不織布
７：生地
１６：ヘム
Ｌ１：緯糸
Ｌ２：経糸
Ｌ３：パイル糸
【図１】
0003134363.tif 000003
【図２】
0003134363.tif 000004
【図３】
0003134363.tif 000005
【図４】
0003134363.tif 000006
【手続補正書】
【提出日】平成19年5月9日(2007.5.9)
【手続補正１】
【補正対象書類名】実用新案登録請求の範囲
【補正対象項目名】全文
【補正方法】変更
【補正の内容】
【実用新案登録請求の範囲】
【請求項１】
マイヤー編機により編成したマイヤー生地であって、
各１本の緯糸Ｌ１、経糸Ｌ２及びパイル糸Ｌ３を用い、その経糸Ｌ２及びパイル糸Ｌ３を一体的にループにし、これに緯糸Ｌ１を潜らせるようにして、一側の針床だけで編成した地編組織から構成してあることを特徴とする変則編みマイヤー生地。
【請求項２】
請求項１の変則編みマイヤー生地の一側面に不織布が接着され、少なくとも対向する周辺にヘム１６が逢着されている変則編みマイヤー生地。
【請求項３】
請求項１の変則編みマイヤー生地の周辺がマチ縫いされている変則編みマイヤー生地。
【手続補正２】
【補正対象書類名】明細書
【補正対象項目名】０００７
【補正方法】変更
【補正の内容】
【０００７】  本考案にかかる変則編みマイヤー生地は、上記課題を解決するために、請求項１に記載の通り、マイヤー編機により編成したマイヤー生地であって、
各１本の緯糸Ｌ１、経糸Ｌ２及びパイル糸Ｌ３を用い、その経糸Ｌ２及びパイル糸Ｌ３を一体的にループにし、これに緯糸Ｌ１を潜らせるようにして、一側の針床だけで編成した地編組織から構成してあることを特徴とする。
本考案において用いる緯糸Ｌ、経糸Ｌ２及びパイル糸Ｌ３としては、ポリエステル、アクリル等の化繊、ウール、綿糸等の天然繊維から適宜選択して用いることができる。
【手続補正３】
【補正対象書類名】明細書
【補正対象項目名】０００８
【補正方法】変更
【補正の内容】
【０００８】  本考案にかかる変則編みマイヤー生地としては、前記変則編みマイヤー生地の一側面に不織布が接着され、少なくとも対向する周辺にヘム１６が逢着されているのが好ましい。
また、変則編みマイヤー生地の周辺がマチ縫いされるようにしても良い。